(57)【要約】      （修正有）【課題】両腕を使用して車輌への停止合図と進行方向誘導を可能にしたＬＥＤ誘導灯付き腕抜きを提供する。【解決手段】切り欠き２を有し手甲型に形成した反射シート１に、停止合図を示す長方形図形を表示するＬＥＤ６と、誘導方向を示す矢印図形を表示するＬＥＤ５を配置し、長方形図形６と矢印図形５のＬＥＤは、図形全体に均等に配列する。反射シート１の合わせ面部に面ファスナー３を装着し、裏面にＬＥＤの電源となる電池ＢＯＸ収納部を設けて、ＬＥＤ用防水式電池ＢＯＸと防水式電源スイッチ、電池ＢＯＸ取り外し可能カプラーを設け、合わせ面部に面ファスナーを装着し、両腕仕様用に左右対称に形成する。【選択図】図１
0003169235.tif 000002
【実用新案登録請求の範囲】
【請求項１】
切り欠きを有し手甲型に形成した反射シートに、停止合図を示す長方形図形を表示
するLEDと、誘導方向を示す矢印図形を表示するLEDを配置し、前記長方形図形と
矢印図形のLEDは図形全体に均等に配列するものであり、前記反射シートの合わせ面
部に面ファスナーを装着し、裏面にLEDの電源となる電池BOX収納部を設けて、LE
D用防水式電池BOXと防水式電源スイッチ、電池BOX取り外し可能カプラーを設け
てなる左右対称の両腕仕様のLED誘導灯付き腕抜き。
【考案の詳細な説明】
【技術分野】
【０００１】
本考案は、車輌への停止合図と進行方向指示のためのLED誘導灯付き腕抜きに
関する。
【背景技術】
【０００２】
交通取締りや道路工事現場、駐車場等で、車輌の交通整理をするために使用されて
いる棒状のLED停止合図誘導灯は、従来より知られている。
【先行技術文献】
【特許文献】
【０００３】
【特許文献１】特許公開平１１−８６６０１
【考案の概要】
【考案が解決しようとする課題】
【０００４】
しかしながら、従来の誘導棒は、握持部を握って方向指示をするもので長時間の
使用においては、手の疲労感を伴うものであった。
【課題を解決するための手段】
【０００５】
本考案は、人の手首から肘までの長さの手甲型に形成した反射シートに、停止合図
を示す長方形図形を表示するLEDと、誘導方向を示す矢印図形を表示するLEDを配
置して、合わせ面部に面ファスナーを装着する。裏面にはLEDの電源となる電池
BOX収納部を設けて、LED用防水式電池BOXと防水式電源スイッチ、電池BOX取
り外し可能カプラーを設け、両腕仕様のために左右対称になるように形成する。前腕
部に捲着し、両端の接合部分の面ファスナーを貼り付けて筒状の腕抜きとする。両腕
を使用して車輌停止の合図や、進行方向誘導等の交通整理を行うことで、上記課題を
解決している。
【考案の効果】
【０００６】
本考案に係るLED誘導灯付き腕抜きは、両腕の前腕部に捲着し、合わせ面部の面
ファスナーを貼り付け、裏面の防水式電源スイッチを押しLEDを点灯して、車輌の
運転者に対して腕の内側の停止合図と外側の誘導方向を示すLEDを表示して交通整
理を行うことによって、両手が空きすばやい手作業が可能になり従来より楽な体勢で
の作業を実現することができる。
【図面の簡単な説明】
【０００７】
【図１】本考案に係る正面図における展開図である。
【図２】本考案に係る背面図における展開図である。
【図３】本考案に係る図１における使用状態図である。
【図４】本考案に係る図２における使用状態図である。
【考案を実施するための形態】
【０００８】
図１、図２に示すように、手甲型に形成した反射シート１に、停止合図を示す長方
形図形を表示するLED６と、誘導方向を示す矢印図形を表示するLED５を配置して、
合わせ面部に面ファスナー３を装着し、両腕仕様用に左右対称になるように形成する。
裏面には電池BOX収納部９を設けてLED用防水式電池BOX７と、防水式電源スイッ
チ８、電池BOX取り外し可能カプラー１０を設け、合わせ面部に面ファスナー４を装
着する。また、前記LEDは、前記長方形図形６と矢印図形５全体に均等に配列するも
ので、使い方によっては、LEDは赤色で表示することも可能である。
【０００９】
図３、図４に示すように、上腕筋回避部分用切り欠き２は、肘の曲げ伸ばしを容易
にするために設けるものである。
【００１０】
上記工程により、完成した本考案のLED誘導灯付き腕抜きは、両腕の前腕部に捲着
して合わせ面部の面ファスナー３、４を貼り付け、裏面の防水式電源スイッチ８を押
してLEDを点灯することで、車輌への停止合図や進行方向誘導等の交通整理を行える
ものである。
【符号の説明】
【００１１】
・  反射シート
・  上腕筋回避部分用切り欠き
・  凹面ファスナー
・  凸面ファスナー
・  LED矢印図形
・  LED長方形図形
・  LED用防水式電池BOX
・  防水式電源スイッチ
・  電池BOX収納部
１０．電池BOX取り外し可能カプラー
【図１】
0003169235.tif 000003
【図２】
0003169235.tif 000004
【図３】
0003169235.tif 000005
【図４】
0003169235.tif 000006
【手続補正書】
【提出日】平成23年5月17日(2011.5.17)
【手続補正１】
【補正対象書類名】明細書
【補正対象項目名】全文
【補正方法】変更
【補正の内容】
【考案の詳細な説明】
【技術分野】
【０００１】
本考案は、車輌への停止合図と進行方向指示のためのLED誘導灯
付き腕抜きに関する。
【背景技術】
【０００２】
交通取締りや道路工事現場、駐車場等で、車輌の交通整理をする
ために使用されている棒状のLED停止合図誘導灯は、従来より知ら
れている。
【先行技術文献】
【特許文献】
【０００３】
【特許文献１】特許公開平１１−８６６０１
【考案の概要】
【考案が解決しようとする課題】
【０００４】
しかしながら、従来の誘導棒は、握持部を握って方向指示をする
もので長時間の使用においては、手の疲労感を伴うものであった。
【課題を解決するための手段】
【０００５】
本考案は、人の手首から肘までの長さの手甲型に形成した反射シ
ートに、停止合図を示す長方形図形を表示するLEDと、誘導方向を
示す矢印図形を表示するLEDを配置して、合わせ面部に面ファスナ
ーを装着する。裏面にはLEDの電源となる電池BOX収納部を設け
て、LED用防水式電池BOXと防水式電源スイッチ、電池BOX取
り外し可能カプラーを設け、両腕仕様のために左右対称になるよう
に形成する。前腕部に捲着し、両端の接合部分の面ファスナーを貼
り付けて筒状の腕抜きとする。両腕を使用して車輌停止の合図や進
行方向誘導等の交通整理を行うことで、上記課題を解決している。
【考案の効果】
【０００６】
本考案に係るLED誘導灯付き腕抜きは、両腕の前腕部に捲着し、
合わせ面部の面ファスナーを貼り付け、裏面の防水式電源スイッチ
を押しLEDを点灯して、車輌の運転者に対して腕の内側の停止合図
と外側の誘導方向を示すLEDを表示して交通整理を行うことによっ
て、両手が空きすばやい手作業が可能になり従来より楽な体勢での
作業を実現することができる。
【図面の簡単な説明】
【０００７】
【図１】本考案に係る正面図における展開図である。
【図２】本考案に係る背面図における展開図である。
【図３】本考案に係る図１における使用状態図である。
【図４】本考案に係る図２における使用状態図である。
【考案を実施するための形態】
【０００８】
図１、図２に示すように、手甲型に形成した反射シート１に、停
止合図を示す長方形図形を表示するLED６と、誘導方向を示す矢印
図形を表示するLED５を配置して、合わせ面部に面ファスナー３を
装着し、両腕仕様用に左右対称になるように形成する。裏面には電
池BOX収納部９を設けてLED用防水式電池BOX７と、防水式電源
スイッチ８、電池BOX取り外し可能カプラー１０を設け、合わせ面
部に面ファスナー４を装着する。また、前記LEDは、前記長方形図
形６と矢印図形５全体に均等に配列するもので、使い方によっては、
LEDは赤色で表示することも可能である。
【０００９】
図３、図４に示すように、上腕筋回避部分用切り欠き２は、肘の
曲げ伸ばしを容易にするために設けるものである。
【００１０】
上記工程により、完成した本考案のLED誘導灯付き腕抜きは、両
腕の前腕部に捲着して合わせ面部の面ファスナー３、４を貼り付け、
裏面の防水式電源スイッチ８を押してLEDを点灯することで、車輌
への停止合図や進行方向誘導等の交通整理を行えるものである。
【符号の説明】
【００１１】
１．反射シート
２．上腕筋回避部分用切り欠き
３．凹面ファスナー
４．凸面ファスナー
５．LED矢印図形
６．LED長方形図形
７．LED用防水式電池BOX
８．防水式電源スイッチ
９．電池BOX収納部
１０．電池BOX取り外し可能カプラー